(57)【特許請求の範囲】
【請求項１】
ディスクを装着脱するための挿入口を有するフロントベゼルと、着脱自在なディスク媒体に対してヘッドにより情報の記録及び／又は再生を行なう駆動ユニットとを備えるディスク装置において、
前記駆動ユニットに対して記録及び／又は再生、及び記録及び／又は再生のための諸機構の駆動を制御する第１の基板と、
装置操作に対応する電気的部品であるイジェクト釦と表示灯と、オーディオ機能を奏するための電子部品である音声増幅器、ボリウム、及びホーン端子とが実装され、前記フロントベゼルの裏面下方に近接して配置される第２の基板と、
を少なくとも備えることを特徴とするディスク装置。
【請求項２】
請求項１記載のディスク装置において、
前記第２の基板が、装置機能に対応して交換自在に設けられることを特徴とするディスク装置。
【発明の詳細な説明】
【０００１】
【産業上の利用分野】
本発明は、装着されるディスク媒体に対して情報の記録再生を行う制御用のプリント基板を少なくとも備えるディスク装置に関する。
【０００２】
【従来の技術】
近年、記録媒体としてのディスク媒体が使用されるものとして、ＦＤ（フロッピディスク）、ＣＤ（コンパクトディスク）、ＬＤ（レーザディスク）、ＭＯ（光磁気ディスク）、ＭＤ（ミニディスク）が一般化されており、これらを使用するディスク装置は全般的に薄形化が要求されている。また、ＣＤのなかでも追記型のものがあり、これをドライブするディスク装置においても薄形化が要求されていると共に、収納される制御用のプリント基板の配置領域の拡大、及び調整、保守の容易性が望まれている。
【０００３】
ここで、図６に、従来のディスク装置の分解構成図を示す。図６は追記型の光ディスク（以下、ＣＤ−Ｒという）をドライブするディスク装置１１を示したもので、ディスク装置１１は、本体ケース１２内の下部に制御用のプリント基板１３が配置され、該プリント基板１３上にドライブユニット１４が配置されてカバー１５が取り付けられるものである。
【０００４】
本体ケース１２は、前面にフロントベゼル２１が取り付けられており、フロントベゼル２１には開閉挿入口２２とイジェクト釦２３等が設けられると共に、手動によるイジェクトを行うためのイジェクト孔２４が設けられる。
【０００５】
ドライブユニット１４は、駆動部２５、スライダ２６、ディスクホルダ２７により構成されるもので、ディスクホルダ２７にＣＤ−Ｒ２８を収納するディスクケース２９が挿入され、挿入の際にディスクケース２９のシャッタ２９ａがスライドして該ＣＤ−Ｒ２８の一部を表出させる。
【０００６】
駆動部２５は、シャーシ３１に光ヘッド３２が取り付けられると共に、該光ヘッド３２を、挿入されるＣＤ−Ｒ２８の半径方向にガイド棒３３ａ，３３ｂに沿って移動させるヘッド駆動機構や、スライダ２６をスライドさせてディスクケース２９のイジェクトを行うイジェクトモータ２６ａ、ギア２６ｂ等を備えるイジェクト機構等を備える。この場合、移動される光ヘッド３２を駆動するためのキャリアモータの電気的接続が両ガイド棒３３ａ，３３ｂに沿うフレキシブルプリント板３４を介して行われる。
【０００７】
スライダ２６は、ディスクホルダ２７を昇降させるためのもので、ディスクケース挿入方向に対して両側（片側は図示せず）のカムプレート３５にテーパ状の溝を有するカムガイド３５ａ，３５ｂが形成され（図７で説明する）、対応してディスクホルダ２７の両側面に形成された所定数の突起部３６ａ，３６ｂと係合する。また、ディスクホルダ２７は、ディスクケース２９が挿入されたときに該ディスクケース２９のシャッタ２９ａをスライドさせる回動レバー３７が設けられる。
【０００８】
このようなドライブユニット１４は、ディスクホルダ２７にディスクケース２９に挿入されていないときはディスクホルダ２７が上方に位置され、ディスクケース２９がディスクホルダ２７に挿入されたときに、ローディング機構（図に表われず）でスライダ２６が前方（ディスクケース挿入方向と逆方向）にスライドすることにより、ディスクホルダ２７が下降して記録再生状態となる。
【０００９】
また、スライダ２６には、上記イジェクトモータ２６ａの故障時や電源供給停止時にスライダ２６を奥方向に手動でスライドさせてディスクケース２９を取り出すためのエマージェンシ機構がクランク機構等で構成されて設けられ、当該スライダ２６の該クランク機構を動作させるイジェクトレバー３８が設けられる。このイジェクトレバー３８は、フロントベゼル２１のイジェクト孔２４よりシャフト棒等で押し込まれることで上記クランク機構がスライダ２６を奥方向にスライドさせるものである。
【００１０】
なお、２７ａはディスクホルダ２７の昇降のときにガイドするガイド部材である。また、３９はプリント基板１３を取り付けるためのボスである。
【００１１】
ここで、図７に、図６のプリント基板の配置の概略図を示す。図７に示すように、本体ケース１２内のボス３９にプリント基板１３が取り付けられ、該プリント基板１３上にドライブユニット１４が配置されてケース１５により覆われるものである。すなわち、プリント基板１３はフロントベゼル２１のイジェクト釦２３等との電気的接続の関係から本体ケース１２の下方に配置されるものである。
【発明が解決しようとする課題】
しかし、一般にディスク装置は、その機能によって異なる電気的構成する場合があるもので、例えばオーディオの機能が付加されればフロントベゼル２１にホーン端子やボリウム等を設けなければならず、プリント基板１３にもオーディオ系の回路を付加しなければならないことから、プリント基板１３の全部を交換する必要があって不経済であるという問題がある。
【００１２】
そこで、本発明は、上記課題に鑑みなされたもので、プリント基板の配置の自由度が向上し、調整、保守、交換の容易性を図るディスク装置を提供することを目的とする。
【００１３】
【課題を解決するための手段】
請求項１では、ディスクを装着脱するための挿入口を有するフロントベゼルと、着脱自在なディスク媒体に対してヘッドにより情報の記録及び／又は再生を行なう駆動ユニットとを備えるディスク装置において、前記駆動ユニットに対して記録及び／又は再生、及び記録及び／又は再生のための諸機構の駆動を制御する第１の基板と、装置操作に対応する電気的部品であるイジェクト釦と表示灯と、オーディオ機能を奏するための電子部品である音声増幅器、ボリウム、及びホーン端子とが実装され、前記フロントベゼルの裏面下方に近接して配置される第２の基板と、を少なくとも備えることを特徴とするディスク装置が構成される。
【００１５】
請求項２では、請求項１記載のディスク装置において、前記第２の基板が、装置機能に対応して交換自在に設けられる。
【００１６】
【作用】
上記のように請求項１の発明では、第１及び第２の基板を備え、第１の基板では記録及び／又は再生系の駆動の制御を行なわせ、第２の基板では操作系，オーディオ系の電子的部品を実装させる。これにより、プリント基板の配置の自由度が向上し、調整、保守を容易に行なわせることが可能となる。
【００１７】
請求項２の発明では、第２の基板を交換自在とする。これにより、機能の付加や削除に対して当該第２の基板のみを交換すればよく、経済的とすることが可能となる。
【００１８】
【実施例】
図１に、本発明の一実施例の分解構成図を示す。また、図２に、図１の本体ケースの平面図を示す。図１はディスク装置５１として、例えば追記型の光ディスク（ディスク媒体）に対して情報の記録再生を行う場合の装置を示している。図１において、ディスク装置５１は、大別して本体ケース５２、ドライブユニット５３、第１の基板であるメインプリント基板５４、カバー５５により構成される。そして使用されるディスク媒体はディスクケース５６に収納されてドライブユニット５３内に装着される。また、ストッパ部材５７が別体として使用される。
【００１９】
本体ケース５２は、例えばアルミダイカストにより箱形に形成されたもので、内部がドライブユニット５３やプリント基板５４、ストッパ部材５７を取り付けるための取付部材（ボス）６６及びその近傍に棒部材（ボス）６７等が四隅等に一体に形成される。また、本体ケース５２の前方となる開放部分にフロントベゼル５８が取り付けられる。フロントベゼル５８はディスクケース５６を装着脱するための開閉挿入口５９やイジェクト釦６０が設けられると共に、略中央部分の該開閉挿入口５９の直下にイジェクト孔６１が設けられる。
【００２０】
イジェクト釦６０は、装着したディスクケース５６をイジェクトモータを使用したイジェクト機構により自動的に取り出すためのもので、イジェクト孔６１は後述するスライダをスライドをさせるためにシャフト等を差し込んでモータ故障や電源供給停止時に自動的に取り出せなくなったディスクケース５６を手動で取り出すためのものである。
【００２１】
また、フロントベゼル５８には、他に表示灯、ボリウム、ホーン端子等が適宜設けられる。そして、フロントベゼル５８の裏面側にはイジェクト釦６０等の電気的部品が実装された第２の基板であるオーディオプリント基板６８が設けられる。すなわち、図２に示すように、本体ケース５２の前方部分に段差部５２ａが形成されており、この段差部５２ａの裏面に位置するようにフロントベゼル５８の裏面下方にオーディオプリント基板６８が配置される。このオーディオプリント基板６８は、本体ケース５２よりフロントベゼル５８を取り外すことにより共に取り外されるもので、容易に交換自在に設けられるものである。
【００２２】
オーディオプリント基板６８は、当該ディスク装置５１がオーディオ機能を有する場合に設けられるもので、音声増幅器や、フロントベゼル５８に設けられるボリウム、ホーン端子等の電気的部品が実装されると共に、上述のイジェクト釦６０や表示灯の電気的部品が実装される。従って、オーディオ機能を有しない場合には、第２の基板としてのプリント基板はイジェクト釦６０や表示灯のみが実装されることになる。
【００２３】
また、本体ケース５２の段差部５２ａの一方側には開口部５２ｂが形成されており、この開口部５２ｂよりフレキシブルプリント板６９によりオーディオプリント基板６８とメインプリント基板５４とが接続される。
【００２４】
図１に戻って説明するに、ドライブユニット５３は、大別して記録再生機構である駆動ユニット６２、昇降手段であるスライダ６３、保持手段であるディスクホルダ６４により構成され（図３で説明する）、本体ケース５２内に最初に取り付けられる。このとき、ドライブユニット５３の後方にストッパ部材５７が配置される。このストッパ部材５７は、ディスクホルダ６４にディスクケース５６を挿入した際にドライブユニット５３が後方に移動するのを防止するためのものであると共に、ディスクホルダ６４の昇降時のストロークを小さくするものである。
【００２５】
メインプリント基板５４は、ドライブユニット５３の各機構の駆動及び記録再生を行うための信号処理を行わせる部分で、ドライブユニット５３や上述のフロントベゼル５８用のオーディオプリント基板６８と、対応する各コネクタによりフラットケーブル等で電気的接続が行われると共に、ホスト側と所定のコネクタ６５により接続される。このメインプリント基板５４は、本体ケース５２のドライブユニット５３の上方に配置される。
【００２６】
そして、カバー５５により本体ケース５２をカバーすることにより、装置内に塵埃等の侵入を防止する。
【００２７】
ここで、図３に、図１のドライブユニットの分解構成図を示す。図３に示すドライブユニット５３において、駆動ユニット６２は、例えば樹脂性のシャーシ７１内にディスクケース５６に収納されたディスク媒体（図４で説明する）を回転するスピンドルモータ（図に表われず）が設けられてスピンドル７２の先端に取り付けられたチャッキング部７２ａが表出されて設けられる。また、ディスク媒体に対して記録再生を行う光ヘッド７３が設けられ、該光ヘッド７３はガイド棒７４ａ，７４ｂによりディスク媒体の半径方向に移動自在にガイドされる。
【００２８】
この光ヘッド７３にはラック７５が設けられ、ギア７６と噛合しており、ギア７６はキャリアモータ７７の回転軸に設けられたウォーム７７ａと噛合するウォームホイール７６ａと一体化されている。すなわち、キャリアモータ７７が回転することにより、ウォーム７７ａ、ウォームホイール７６ａ、ギア７６、ラック７５を介して光ヘッド７３が移動する。
【００２９】
また、シャーシ７１内にはイジェクトモータ７８が設けられ、その回転軸に設けられたウォーム７８ａが所定数のギアを介してメインギア７９と噛合しており、メインギア７９上にはカム７９ａが形成される。このカム７９ａは後述するスライダ６３の係止片と係合し、イジェクトモータ７８の回転でスライダ６３を奥方向にスライドさせるためのものである。なお、カム７９ａの近傍に、該カム７９ａの位置を検出するための検出スイッチ７９ｂが設けられる。
【００３０】
さらに、シャーシ７１内の片側に中継プリント基板８０が配置されている。この中継プリント基板８０には、光ヘッド７３の再生信号を増幅するピックアップアンプ等の電子部品が実装されると共に、配線接続のための少なくとも５つのコネクタ８０1〜８０5が実装される。そして、スピンドルモータ（スピンドル７２の下方位置）からディスク媒体を回転させるためのフレキシブルプリント板（ＦＰＣ）８１を介してコネクタ８０1に接続され、光ヘッド７３より記録再生を行うためのＦＰＣ８２を介してコネクタ８０2に接続される。  また、キャリアモータ７７及びイジェクトモータ７８からコードを介してコネクタ８０3に接続され、検出スイッチ７９ｂからコードを介してコネクタ８０4に接続される。この中継プリント基板８０からはコネクタ８０5よりＦＰＣ（又はフラットケーブル）８３を介してメインプリント基板５４に接続される。
【００３１】
このように、駆動ユニット６２におけるシャーシ７１内の電気的配線を中継プリント基板８０に集中させ、この中継プリント基板８０よりＦＰＣ８３のみでメインプリント基板５４に接続が行われるものである。
【００３２】
また、シャーシ７１内の一方の隅近傍にダンパ８４が設けられ、ダンパ８４にギア８４ａが設けられる。このギア８４ａは後述するスライダ６３に形成されたラックと噛合するもので、スライダ６３のスライドのスピードを緩衝させるものである。このダンパ８４の近傍におけるシャーシ７１の奥壁に昇降ガイド部材８５が設けられ、この昇降ガイド部材８５は後述するディスクホルダ６４に形成された孔と遊嵌されて当該ディスクホルダ６４の昇降をガイドするものである。
【００３３】
また、シャーシ７１内の四隅には、例えばゴム製の弾性部材で形成されたインシュレータ８６がそれぞれ設けられており、垂直方向に孔が形成される。このインシュレータ８６は、図１に示す本体ケース５２内の四隅に一体的に立設された所定高さの取付け部材（ボス）６６に取り付けられて本体ケース５２内に配置されるもので、取付け部材６６に取り付けられたときに該シャーシ７１は本体ケース５２の底面には接触せず、浮上した状態となって、ドライブユニット５３の上下方向の振動に対して緩衝の役割を果している。
【００３４】
この各インシュレータ８６の近傍には、さらに例えばゴム製の弾性部材で形成された水平インシュレータ８７がそれぞれ設けられており、水平方向に長穴の孔が形成される。この水平インシュレータの孔には、図１に示す取付け部材６６の近傍に本体ケース５２と一体的に立設された所定高さの棒部材（ボス）６７が遊嵌されて、ドライブユニット５３の水平方向の振動に対して緩衝の役割を果している。
【００３５】
なお、シャーシ７１の両側の外方向に、所定数の係止片８８が形成される（後述する）。
【００３６】
続いて、上記駆動ユニット６２上に設けられるスライダ６３は、一方側に２つのカム片９１ａ，９１ｂのカムプレート９１が形成されており、カム片９１ａ，９１ｂには後述するガイド部をガイドしてディスクホルダを昇降させる水平部、下り傾斜のテーパ部とにより構成される。また、カム片９１ｂには上記テーパ部の他に後述する所定のカイド部を、ディスクホルダ６４が下方位置のときに押えるテーパ部が形成される。
【００３７】
また、他方側に３つのカム片９２ａ〜９２ｃのカムプレート９２が形成されており、カム片９２ａ，９２ｂには後述するディスクホルダ６４のガイド部をガイドする水平部、下り傾斜のテーパ部が形成され、カム片９２ｃには後述するディスクホルダ６４の所定のガイド部を該ディスクホルダ６４の下方位置のときに押える下り傾斜のテーパ部が形成する。
【００３８】
さらに、スライダ６３のカムプレート９１の後方片側にはラック９３が形成されており、駆動ユニット６２におけるダンパ８４上のギア８４ａと噛合する。また、スライダ６３の前部の略中央近傍であって、図１に示すフロントベゼル５８のイジェクト孔６１に対応する位置に、切り起しにより形成された手動によるイジェクトのための係止部９４が形成されると共に、後部の略中央近傍であって、駆動ユニット６２のメインギア７９上のカム７９ａと係合する係止部９５が形成される。
【００３９】
この係止部９５は、ディスクケース５６のイジェクト時にイジェクトモータ７８の回転によるメインギア７９が回転してカム７９ａと係合することより、スライダ６３を後方（奥方向）にスライドさせてディスクホルダ６４を上昇させるためのものである。これらスライダ６３は、単一の金属板部材で一体に形成されるものである。
【００４０】
続いて、上記スライダ６３上に設けられるディスクホルダ６４は、ディスクケース５６を少くとも両側に保持する保持部１０１が金属板部材により形成されたもので、ディスクケース５６のシャッタ開閉のためのレバー１０２等を含む該ディスクケース５６の装着脱のためのローディング機構（図に表われず）が設けられる。
【００４１】
このディスクホルダ６４の両側面には、上記スライダ６３のカムプレート９１，９２におけるカム片９１ａ，９１ｂ，９２ａ〜９２ｃに対応するガイド部１０３が形成されるもので、図３ではカムプレート９１のカム片９１ａ，９１ｂに対応するガイド部１０３ａ〜１０３ｃ（反対面のカイド部も同様）とする。
【００４２】
また、ディスクホルダ６４の両側面の上部に所定数の係止部１０４が上記駆動ユニット６２の係止部８８に対応して設けられる。すなわち、駆動ユニット６２、スライダ６３、ディスクホルダ６４が組み合わされたときに、それぞれの当該係止片１０４と係止部８８との間でそれぞれスプリングバネ１０５が懸架されてディスクホルダ６４を駆動ユニット６２側に付勢するものである。
【００４３】
なお、ディスクホルダ６４の後方にはガイド孔１０６が形成される。このカイド孔１０６に駆動ユニット６２の昇降ガイド部材８５が遊嵌してディスクホルダ６４の昇降をガイドするものである。
【００４４】
次に、図４に、本発明に使用されるディスクケースの構成図を示す。図４（Ａ）は平面図、図４（Ｂ）は底面図である。図４（Ａ），（Ｂ）に示すディスクケース５６は、例えば追記型のディスク媒体（光ディスク）１１１を収納するもので、該ディスク媒体１１１の半径方向で一部領域を表出させる開口部１１２が形成され、この開口部１１２はシャッタ１１３により開閉自在とされる。このシャッタ１１３は、ディスクケース５６の挿入方向に対して垂直方向にスライド自在であり、その先端部１１３ａが、ディスクホルダ６４への挿入時にレバー１０２によりスライドされて開口部１１２を表出状態とするものである。
【００４５】
ここで、追記型のディスク媒体１１１は、情報を１度だけ記録することができる光ディスクであり、ユーザがビデオ情報、コード情報等の各種情報を記録し再生できるもので、ビデオファイルシステム、文書ファイルシステム、計算機用ファイルシステム、超大容量ライブラリィシステム等で使用されるものである。このディスク媒体１１１では、レーザ光の加熱によるヒートモードで反射膜の有無（穴あけ）、変形（ふくらみなど）、屈折率（反射率）変化で所定の形態のマークで信号を記録し、レーザ光スポットを照射して反射回折光の変化を強弱信号で検出して再生するものである。
【００４６】
そこで、図５に、本発明の各プリント基板の配置の概略図を示す。図５に示すように、本体ケース５２の上方にメインプリント基板５４が配置され、ドライブユニット５３（駆動ユニット６２）内に設けられた中継プリント基板８０が本体ケース５２の高さ方向で略中部分に配置される。そして、フロントベゼル５８の裏面下方のオーディオ基板６８が本体ケース５２の下方に配置される。このように、回路系が複雑になると共に、薄形化の傾向にあるディスク装置（光ディスク装置）５１において、同一スペースで各プリント基板５４，６８，８０に分散させることから全体基板の面積を大きくすることができ、各部での調整や保守における特性チェックを行うことが可能になる。
【００４７】
すなわち、メインプリント基板５４はドライブユニット５３の上方に配置させることから、特性チェックをカバー５５を外すだけで行うことができ、組み立てチェック及び保守サービス時における水平状態でのメカニカル機構と回路のチェックが可能となる。
【００４８】
また、中継プリント基板８０ではドライブユニット５３（駆動ユニット６２）の配線系を単一に集中させていることから、これらのサブアセンブリの形で特性チェックすることができ、チェック後に組み付けを行うことができると共に、シャーシ７１内での配線処理を容易とすることができる。
【００４９】
さらに、オーディオプリント基板６８は、フロントベゼル５８を本体ケース５２より取り外すことで容易に交換することができ、保守サービスが容易であると共に、ディスク装置５１に対する所定機能の付加や削除に対して当該オーディオプリント基板６８のみを交換すればよく、経済性の向上を図ることができるものである。
【００５０】
【発明の効果】
以上のように請求項１の発明では、第１及び第２の基板を備え、第１の基板では記録及び／又は再生系の駆動の制御を行なわせ、第２の基板では操作系，オーディオ系の電子的部品を実装させることにより、プリント基板の配置の自由度が向上し、調整、保守を容易に行なわせることが可能となる。
【００５１】
請求項２の発明では、第２の基板を交換自在とする。これにより、機能の付加や削除に対して当該第２の基板のみを交換すればよく、経済的とすることができる。
【図面の簡単な説明】
【図１】本発明の一実施例の分解構成図である。
【図２】図１の本体ケースの平面図である。
【図３】図１のドライブユニットの分解構成図である。
【図４】本発明に使用されるディスクケースの構成図である。
【図５】本発明の各プリント基板の配置の概略図である。
【図６】従来のディスク装置の分解構成図である。
【図７】図６のプリント基板の配置の概略図である。
【符号の説明】
５１  ディスク装置
５２  本体ケース
５３  ドライブユニット
５４  メインプリント基板
５５  カバー
５６  ディスクケース
５８  フロントベゼル
５９  開閉挿入口
６０  イジェクト釦
６１  イジェクト孔
６２  駆動ユニット
６３  スライダ
６４  ディスクホルダ
６８  オーディオプリント基板
７１  シャーシ
７３  光ヘッド
８０  中継プリント基板
８６  インシュレータ
８７  水平インシュレータ
９１，９２  カムプレート
９１ａ，９１ｂ，９２ａ，９２ｂ，９２ｃ  カム片
１０１  保持部
１０３，１０３ａ〜１０３ス  ガイド部
１１１  ディスク媒体
【図１】
0003834835.tif 000002
【図２】
0003834835.tif 000003
【図３】
0003834835.tif 000004
【図４】
0003834835.tif 000005
【図５】
0003834835.tif 000006
【図６】
0003834835.tif 000007
【図７】
0003834835.tif 000008